(57)【要約】 【課題】  回転駆動源の回転数を減速することなく、又は、少ない減速でも、多くの使用モードの被駆動回転体の回転速度の変更に対応が可能となり回転斑の増大を押さえて、回転駆動の効率も向上して小型、省資源、低コスト、光沢斑等の発生を防止して高品質の定着や画像形成が行われる耐久性にも優れた回転駆動装置及びその回転駆動装置を具備する定着装置並びに画像形成装置を提供する。【解決手段】  回転方向が変更可能な回転駆動源１の回転駆動力を受けて伝達する回転駆動力伝達手段２と、回転駆動力伝達手段２の回転駆動力を受けて中間伝達する中間回転軸３と、中間回転軸３の正回転方向の回転駆動力を伝達する第１の回転駆動力伝達手段４と、中間回転軸３の逆回転方向の回転駆動力の回転方向を変更して伝達する第１の回転駆動力伝達手段４の減速比と異なる第２の回転駆動力伝達手段５とからなる。【選択図】        図１
2005054861.tif 000002
【特許請求の範囲】
【請求項１】
被駆動回転体の回転速度を使用モードにより変更して回転駆動する回転駆動装置において、回転方向が変更可能な回転駆動源と、上記回転駆動源の回転駆動力を受けて伝達する回転駆動力伝達手段と、上記回転駆動力伝達手段の回転駆動力を受けて中間伝達する中間回転軸と、上記中間回転軸の正回転方向の回転駆動力を伝達する第１の回転駆動力伝達手段と、上記中間回転軸の逆回転方向の回転駆動力の回転方向を変更して伝達する第２の回転駆動力伝達手段とからなり、上記第１の回転駆動力伝達手段と上記第２の回転駆動力伝達手段の各減速比が異なることを特徴とする回転駆動装置。
【請求項２】
請求項１に記載の回転駆動装置において、回転駆動源は、回転駆動力伝達手段の回転駆動を一旦停止した後に回転方向を変更することを特徴とする回転駆動装置。
【請求項３】
請求項１又は２に記載の回転駆動装置において、回転駆動力伝達手段を、中間回転軸と一体化したことを特徴とする回転駆動装置。
【請求項４】
請求項１、２又は３に記載の回転駆動装置において、第１の回転駆動力伝達手段は、中間回転軸の正回転方向の回転駆動力を伝達する第１の一方向クラッチと、上記第１の一方向クラッチから伝達される回転駆動力を被駆動回転体に伝達する第１の回転駆動力伝達ユニットと、からなることを特徴とする回転駆動装置。
【請求項５】
請求項４に記載の回転駆動装置において、第１の回転駆動力伝達ユニットは、第１の一方向クラッチから回転駆動力が伝達されるプーリと、上記プーリと被駆動回転体の第１のプーリに張架されて回転駆動力を伝達するベルトとからなることを特徴とする回転駆動装置。
【請求項６】
請求項１、２、３、４又は５に記載の回転駆動装置において、第２の回転駆動力伝達手段は、中間回転軸の逆回転方向の回転駆動力を伝達する第２の一方向クラッチと、上記第２の一方向クラッチから伝達される回転駆動力を被駆動回転体に伝達する第２の回転駆動力伝達ユニットと、からなることを特徴とする回転駆動装置。
【請求項７】
請求項６に記載の回転駆動装置において、第２の回転駆動力伝達ユニットは、回転軸の逆回転方向の回転駆動力の回転方向を変更する歯車列からなることを特徴とする回転駆動装置。
【請求項８】
請求項６又は７に記載の回転駆動装置において、第２の回転駆動力伝達ユニットは、第２の一方向クラッチから回転駆動力が伝達される歯車列のプーリと、上記プーリと被駆動回転体の第２のプーリに張架されて回転駆動力を伝達するベルトと、からなることを特徴とする回転駆動装置。
【請求項９】
請求項１、２、３、４、５、６、７又は８に記載の回転駆動装置において、第１の回転駆動力伝達手段と第２の回転駆動力伝達手段との減速比を１／２として、上記回転駆動源の回転駆動力は正回転、又は、逆回転することを特徴とする回転駆動装置。
【請求項１０】
請求項１、２、３、４、５、６、７又は８に記載の回転駆動装置において、第１の回転駆動力伝達手段と第２の回転駆動力伝達手段との減速比を１／２として、上記回転駆動源の回転駆動力は正回転、又は、逆回転して定常回転数の２／３で回転することを特徴とする回転駆動装置。
【請求項１１】
請求項１、２、３、４、５、６、７又は８に記載の回転駆動装置において、第１の回転駆動力伝達手段と第２の回転駆動力伝達手段との減速比を１／２として、上記回転駆動源の回転駆動力は正回転、又は、逆回転して定常回転数の１／２で回転することを特徴とする回転駆動装置。
【請求項１２】
被転写体に形成された画像の定着を行う定着装置において、回転可能に保持されて加熱する定着ローラと、上記定着ローラに所定圧力をもって当接される回転自在な加圧ローラと、上記定着ローラ又は上記加圧ローラを回転駆動する上記請求項１乃至１１の何れか一項に記載の回転駆動装置とからなることを特徴とする定着装置。
【請求項１３】
被駆動回転体の回転速度を使用モードにより変更して画像を形成する画像形成装置において、被転写体に画像を形成する画像形成手段と、上記画像形成手段の回転速度を使用モードにより変更する上記請求項１乃至１１の何れか一項に記載の回転駆動装置からなることを特徴とする画像形成装置。
【請求項１４】
請求項１３に記載の画像形成装置において、画像形成手段は、電子写真方法でトナー画像を形成することを特徴とする画像形成装置。
【発明の詳細な説明】
【技術分野】
【０００１】
本発明は、回転駆動装置、及び、その回転駆動装置を具備する定着装置、並びに、画像形成装置に関し、詳しくは、被駆動回転体の回転速度を使用モードにより変更して回転駆動する回転駆動装置、及び、その回転駆動装置を具備して被転写体に形成された画像の定着を行う定着装置、並びに、被駆動回転体の回転速度を使用モードにより変更して画像を形成する印刷機や電子写真方法でトナー画像を形成する複写機、ファクシミリ装置、プリンタあるいはこれらの複合機等の画像形成装置に関する。
【背景技術】
【０００２】
従来の回転駆動装置、及び、その回転駆動装置を具備する定着装置、並びに、画像形成装置において、被駆動回転体の回転速度の可変手段として、画像形成手段等の各部における駆動モータの出力を切り換え制御する回路や、各部の駆動系中に介在して速度切り換えするクラッチが使用されている。
このような回転駆動装置を使用して、カラー画像を形成する場合に、遅くしたプロセス速度で転写及び定着動作を実行させ、転写部から定着部までの距離を長くする必要のない小型のカラー画像形成装置は公知である（特許文献１を参照）。
１個の駆動手段により被駆動回転体としての少なくとも像担持体と、現像装置と、定着装置と、記録紙搬送装置とを駆動するカラー画像形成装置において、駆動手段の駆動速度を、２速の切り換え手段として、電磁クラッチと、減速ギヤーと、一方向クラッチにより行う手段、又は、ステッピングモータの速度を切り換える手段によって、２速に切り換え可能となして、画像形成時と定着時に速度を変更して、定着時には低速で記録紙を搬送するようにしてカラー画像の画質を改善することも公知である（特許文献２を参照）。
更に、定着ローラと加圧のニップの排出側に設けたセンサアームにより、記録材ジャムを検知した場合に定着装置等を駆動させるモータを逆転させ、その後記録材の除去を検知した場合にモータを正回転させて、定着ローラと加圧ローラのニップの解除及び復帰を行うことの出来る画像形成装置も公知である（特許文献３を参照）。
近年、画像形成装置の複写装置等に使用される被転写体として、数々の転写用紙が使用されようになっている。
そこで、被転写体としての数々の転写用紙に対して、それぞれの対応性が求められている。
被転写体の転写用紙に形成されたトナー画像を加圧しながら加熱して定着する定着装置において、被駆動回転体である定着ローラと加圧ローラの回転駆動装置においても、被転写体としての数々の多種の転写用紙に対応する為に、その紙厚により、定着ローラと加圧ローラの回転数を、例えば、定常の回転速度から１／２の回転速度に変更させて、転写用紙に与える熱エネルギーを変えることで定着性の向上が図られている。
その為に、従来から被駆動回転体である、例えば、定着装置において、定着ローラと加圧ローラの回転数を可変させる為には、駆動モータの回転数を可変させることで、その対応を図ってきた。
【０００３】
図５において、従来の回転駆動装置１００を具備する定着装置１１０において、回転駆動モータ１０１による回転駆動力は、回転駆動力伝達歯車１０２、及び、回転駆動力伝達歯車１０２と一体で軸１０３に回転可能に保持されたプーリ１０４とタイミングベルト１０５を介して、被駆動回転体のプーリ１０６へ駆動伝達し、定着駆動歯車１１３と定着ローラ１１１に具備される定着歯車１１１ａとの噛み合にて、定着装置１１０の定着ローラ１１１と加圧ローラ１１２が回転駆動される。
駆動方向は、図示の矢印（Ａ）方向より見て、回転駆動モータ１０１が図示の矢印（Ｂ）方向の時計方向に回転して駆動している場合を示している。
従って、定着ローラ１１１も、図示の矢印（Ａ）方向より見て、図示の矢印（Ｃ）方向の時計方向に回転する。
定着ローラ１１１の回転数は、出力歯車１０１ａと回転駆動力伝達歯車１０２のギヤ比にて減速され、更に、プーリ１０４と被駆動回転体のプーリ１０６との減速比にて、更に、減速され、定着駆動歯車１１３と定着ローラ１１１に一体にしてなる定着歯車１１１ａとの噛合いによって、指定の減速比にて減速されて回転駆動される。
定着ローラ１１１の回転数を変更する場合には、回転駆動モータ１０１の回転数を１／２、１／３、１／４とする事で対応していた。
更に、近年の多くの種類の被転写体の転写用紙に対応する為には、回転駆動モータの回転数を減速する必要が有り、回転駆動モータの回転数を、更に、低下させると回転駆動モータの回転ムラも増大し、振動によるバンディングや回転ムラにより、定着装置や画像形成装置においては光沢斑等の異常画像が発生して形成画像の品質が低下していた。
又、これにより、回転駆動モータの効率も低下して、駆動するエネルギーが熱となって放出され、回転駆動モータの温度上昇を引き起こす為に、回転駆動モータの大型化や冷却用の自冷フィンを搭載して、大型で消費電力も増加してコスト高にもなっていた。
【０００４】
従って、従来の回転駆動装置、及び、その回転駆動装置を具備する定着装置、並びに、画像形成装置において、近年の多くの種類の被転写体の転写用紙に対応する等のように、多くの使用モードにより被駆動回転体の回転速度を変更する為には、回転駆動源の回転数を減速する必要が有り、回転駆動源の回転数を、更に、低下させると回転駆動源の回転駆動モータの回転斑も増大し、振動によるバンディングや回転斑による定着装置や画像形成装置における光沢斑等の異常画像が発生して形成画像の品質が低下するだけでなく、回転駆動源である回転駆動モータの回転駆動の効率も低下して、駆動するエネルギーが熱となって放出され、回転駆動源である回転駆動モータの温度上昇を引き起こす為に、回転駆動源である回転駆動モータの大型化や冷却用の自冷フィンを搭載して、大型で消費電力も増加してコスト高にもなると言う不具合が生じていた。
【特許文献１】特開平５−２１６３１２号公報
【特許文献２】特開平５−２６５２７１号公報
【特許文献３】特開平７−１２９０１８号公報
【発明の開示】
【発明が解決しようとする課題】
【０００５】
そこで本発明の課題は、このような問題点を解決するものである。即ち、回転駆動源である回転駆動モータの回転数を減速することなく、又は、少ない減速でも、複数、又は、多くの使用モードの被駆動回転体の回転速度の変更に対応が可能となり回転斑の増大を押さえて、回転駆動の効率も向上して小型で、省資源で、低コストで、光沢斑等の発生を防止して高品質の定着や画像形成が行われる耐久性にも優れた回転駆動装置、及び、その回転駆動装置を具備する定着装置、並びに、画像形成装置を提供することを目的とする。
【課題を解決するための手段】
【０００６】
上記目的を達成するために、請求項１の本発明は、被駆動回転体の回転速度を使用モードにより変更して回転駆動する回転駆動装置において、回転方向が変更可能な回転駆動源と、上記回転駆動源の回転駆動力を受けて伝達する回転駆動力伝達手段と、上記回転駆動力伝達手段の回転駆動力を受けて中間伝達する中間回転軸と、上記中間回転軸の正回転方向の回転駆動力を伝達する第１の回転駆動力伝達手段と、上記中間回転軸の逆回転方向の回転駆動力の回転方向を変更して伝達する第２の回転駆動力伝達手段とからなり、上記第１の回転駆動力伝達手段と上記第２の回転駆動力伝達手段の各減速比が異なる回転駆動装置であることを最も主要な特徴とする。
請求項２の本発明は、請求項１に記載の回転駆動装置において、回転駆動源は、回転駆動力伝達手段の回転駆動を一旦停止した後に回転方向を変更する回転駆動装置であることを主要な特徴とする。
請求項３の本発明は、請求項１又は２に記載の回転駆動装置において、回転駆動力伝達手段は、中間回転軸と一体の形状とした回転駆動装置であることを主要な特徴とする。
請求項４の本発明は、請求項１、２又は３に記載の回転駆動装置において、第１の回転駆動力伝達手段は、中間回転軸の正回転方向の回転駆動力を伝達する第１の一方向クラッチと、上記第１の一方向クラッチから伝達される回転駆動力を被駆動回転体に伝達する第１の回転駆動力伝達ユニット）とからなる回転駆動装置であることを主要な特徴とする。
【０００７】
請求項５の本発明は、請求項４に記載の回転駆動装置において、第１の回転駆動力伝達ユニットは、第１の一方向クラッチから回転駆動力が伝達されるプーリと、上記プーリと被駆動回転体の第１のプーリに張架されて回転駆動力を伝達するベルトとからなる回転駆動装置であることを主要な特徴とする。
請求項６の本発明は、請求項１、２、３、４又は５に記載の回転駆動装置において、第２の回転駆動力伝達手段は、中間回転軸の逆回転方向の回転駆動力を伝達する第２の一方向クラッチと、上記第２の一方向クラッチから伝達される回転駆動力を被駆動回転体に伝達する第２の回転駆動力伝達ユニットからなる回転駆動装置であることを主要な特徴とする。
請求項７の本発明は、請求項６に記載の回転駆動装置において、第２の回転駆動力伝達ユニットは、回転軸の逆回転方向の回転駆動力の回転方向を変更する歯車列からなる回転駆動装置であることを主要な特徴とする。
請求項８の本発明は、請求項６又は７に記載の回転駆動装置において、第２の回転駆動力伝達ユニットは、第２の一方向クラッチから回転駆動力が伝達される歯車列のプーリと、上記プーリプーリと被駆動回転体の第２のプーリに張架されて回転駆動力を伝達するベルトとからなる回転駆動装置であることを主要な特徴とする。
請求項９の本発明は、請求項１、２、３、４、５、６、７又は８に記載の回転駆動装置において、第１の回転駆動力伝達手段と第２の回転駆動力伝達手段との減速比が１／２として、上記回転駆動源の回転駆動力は正回転、又は、逆回転する回転駆動装置であることを主要な特徴とする。
【０００８】
請求項１０の本発明は、請求項１、２、３、４、５、６、７又は８に記載の回転駆動装置において、第１の回転駆動力伝達手段と第２の回転駆動力伝達手段との減速比が１／２として、上記回転駆動源の回転駆動力は正回転、又は、逆回転して定常回転数の２／３で回転する回転駆動装置であることを主要な特徴とする。
請求項１１の本発明は、請求項１、２、３、４、５、６、７又は８に記載の回転駆動装置において、第１の回転駆動力伝達手段と第２の回転駆動力伝達手段との減速比が１／２として、上記回転駆動源の回転駆動力は正回転、又は、逆回転して定常回転数の１／２で回転する回転駆動装置であることを主要な特徴とする。
請求項１２の本発明は、被転写体に形成された画像の定着を行う定着装置において、回転可能に保持されて加熱する定着ローラと、上記定着ローラに所定圧力をもって当接される回転自在な加圧ローラと、上記定着ローラ又は上記加圧ローラを回転駆動する上記請求項１乃至１１の何れか一項に記載の回転駆動装置とからなる定着装置であることを最も主要な特徴とする。
請求項１３の本発明は、被駆動回転体の回転速度を使用モードにより変更して画像を形成する画像形成装置において、被転写体に画像を形成する画像形成手段と、上記画像形成手段の回転速度を使用モードにより変更する上記請求項１乃至１１の何れか一項に記載の回転駆動装置からなる画像形成装置であることを最も主要な特徴とする。
請求項１４の本発明は、請求項１３に記載の画像形成装置において、画像形成手段は、電子写真方法でトナー画像を形成する画像形成装置であることを主要な特徴とする。
【発明の効果】
【０００９】
請求項１の発明によれば、回転駆動源である回転駆動モータの回転数を減速することなく、又は、少ない減速でも、複数、又は、多くの使用モードの被駆動回転体の回転速度の変更に対応が可能となり回転斑の増大を押さえて、回転駆動の効率も向上して小型で、省資源で、低コストである回転駆動装置を提供することが出来るようになった。
請求項２の発明によれば、回転駆動源である回転駆動モータの回転数を減速することなく、又は、少ない減速でも、複数、又は、多くの使用モードの被駆動回転体の回転速度の変更に対応が可能となり回転斑の増大を押さえて、回転駆動の効率も向上して小型で、省資源で、低コストで耐久性にも優れた回転駆動装置を提供することが出来るようになった。
請求項３の発明によれば、回転駆動源である回転駆動モータの回転数を減速することなく、又は、少ない減速でも、複数、又は、多くの使用モードの被駆動回転体の回転速度の変更に対応が可能となり回転斑の増大を押さえて、回転駆動の効率も向上して小型で、省資源で、組立て性の向上を図る事が可能となり、更に、低コストである回転駆動装置を提供することが出来るようになった。
請求項４の発明によれば、回転駆動源である回転駆動モータの回転数を減速することなく、又は、少ない減速でも、複数、又は、多くの使用モードの被駆動回転体の回転速度の変更に対応が可能となり、簡単な構成で正回転方向の回転駆動力を伝達することが可能となり、回転斑の増大を押さえて、回転駆動の効率も向上して小型で、省資源で、低コストである回転駆動装置を提供することが出来るようになった。
【００１０】
請求項５の発明によれば、回転駆動源である回転駆動モータの回転数を減速することなく、又は、少ない減速でも、複数、又は、多くの使用モードの被駆動回転体の回転速度の変更に対応が可能となり、簡単な構成で正回転方向の回転駆動力を離間しても伝達することが可能となり、回転斑の増大を押さえて、回転駆動の効率も向上して小型で、省資源で、低コストである回転駆動装置を提供することが出来るようになった。
請求項６の発明によれば、回転駆動源である回転駆動モータの回転数を減速することなく、又は、少ない減速でも、複数、又は、多くの使用モードの被駆動回転体の回転速度の変更に対応が可能となり、簡単な構成で逆回転方向の回転駆動力を伝達することが可能となり、回転斑の増大を押さえて、回転駆動の効率も向上して小型で、省資源で、低コストである回転駆動装置を提供することが出来るようになった。
請求項７の発明によれば、回転駆動源である回転駆動モータの回転数を減速することなく、又は、少ない減速でも、複数、又は、多くの使用モードの被駆動回転体の回転速度の変更に対応が可能となり、簡単な構成で逆回転方向の回転駆動力を回転方向を変更して伝達することが可能となり、回転斑の増大を押さえて、回転駆動の効率も向上して小型で、省資源で、低コストである回転駆動装置を提供することが出来るようになった。
請求項８の発明によれば、回転駆動源である回転駆動モータの回転数を減速することなく、又は、少ない減速でも、複数、又は、多くの使用モードの被駆動回転体の回転速度の変更に対応が可能となり、簡単な構成で逆回転方向の回転駆動力を離間しても伝達することが可能となり、回転斑の増大を押さえて、回転駆動の効率も向上して小型で、省資源で、低コストである回転駆動装置を提供することが出来るようになった。
【００１１】
請求項９の発明によれば、回転駆動源である回転駆動モータの回転数を減速することなく、定常の回転速度、又は、定常の回転速度の１／２の回転速度の使用モードの被駆動回転体の回転速度の変更に対応が可能となり回転斑の増大を押さえて、回転駆動の効率も向上して小型で、省資源で、低コストである回転駆動装置を提供することが出来るようになった。
請求項１０の発明によれば、回転駆動源である回転駆動モータの回転数を減速することなく、定常の回転速度、又は、定常の回転速度の１／３の回転速度の使用モードの被駆動回転体の回転速度の変更に対応が可能となり回転斑の増大を押さえて、回転駆動の効率も向上して小型で、省資源で、低コストである回転駆動装置を提供することが出来るようになった。
請求項１１の発明によれば、回転駆動源である回転駆動モータの回転数を減速することなく、定常の回転速度、又は、定常の回転速度の１／４の回転速度の使用モードの被駆動回転体の回転速度の変更に対応が可能となり回転斑の増大を押さえて、回転駆動の効率も向上して小型で、省資源で、低コストである回転駆動装置を提供することが出来るようになった。
請求項１２の発明によれば、回転駆動源である回転駆動モータの回転数を減速することなく、又は、少ない減速でも、複数の定常の回転速度と定常の回転速度の１／２の速度、又は、多くの、定常の回転速度と定常の回転速度の１／２の速度、１／３の速度、１／４の速度等の使用モードの被駆動回転体の回転速度の変更に対応が可能となり回転斑の増大を押さえて、回転駆動の効率も向上して小型で、省資源で、低コストで、光沢斑等の発生を防止して高品質の定着が行われ耐久性にも優れた回転駆動装置を具備する定着装置を提供することが出来るようになった。
【００１２】
請求項１３の発明によれば、回転駆動源である回転駆動モータの回転数を減速することなく、又は、少ない減速でも、複数の定常の回転速度と定常の回転速度の１／２の速度、又は、多くの、定常の回転速度と定常の回転速度の１／２の速度、１／３の速度、１／４の速度等の使用モードの被駆動回転体の回転速度の変更に対応が可能となり回転斑の増大を押さえて、回転駆動の効率も向上して小型で、省資源で、低コストで、光沢斑等の発生を防止して画像形成が行われ耐久性にも優れた回転駆動装置を具備する画像形成装置を提供することが出来るようになった。
請求項１４の発明によれば、回転駆動源である回転駆動モータの回転数を減速することなく、又は、少ない減速でも、複数の定常の回転速度と定常の回転速度の１／２の速度、又は、多くの、定常の回転速度と定常の回転速度の１／２の速度、１／３の速度、１／４の速度等の使用モードの被駆動回転体の回転速度の変更に対応が可能となり回転斑の増大を押さえて、回転駆動の効率も向上して小型で、省資源で、低コストで、光沢斑等の発生を防止して高品質の画像形成が行われ耐久性にも優れた回転駆動装置を具備する画像形成装置を提供することが出来るようになった。
【発明を実施するための最良の形態】
【００１３】
次に、本発明の実施の形態は、図面を参照して詳細に説明する。
図１と図２において、被駆動回転体の回転速度を使用モードにより変更して回転駆動する回転駆動装置０は、回転方向が変更可能な回転駆動源１の回転駆動モータと、上記回転駆動源１の回転駆動モータの出力歯車１ａから回転駆動力を受けて伝達する回転駆動力伝達手段２の減速用アイドラ歯車と、上記回転駆動力伝達手段２の減速用アイドラ歯車の回転駆動力を受けて中間伝達する上記回転駆動力伝達手段２の減速用アイドラ歯車が固定された中間回転軸３のアイドラ軸と、上記中間回転軸３のアイドラ軸の正回転方向の回転駆動力を伝達する第１の回転駆動力伝達手段４と、上記中間回転軸３のアイドラ軸の逆回転方向の回転駆動力の回転方向を変更して伝達する第２の回転駆動力伝達手段５とからなり上記第１の回転駆動力伝達手段４と上記第２の回転駆動力伝達手段５の各減速比が異なるようにして、上記回転駆動源１である回転駆動モータの回転数を減速することなく、又は、少ない減速でも、複数、又は、多くの使用モードの定着装置１０を駆動する被駆動回転体６のプーリ６ａの第１のプーリ６ａ１、又は、第２のプーリ６ａ２の回転速度の変更に対応が可能となり回転斑の増大を押さえて、回転駆動の効率も向上して小型で、省資源で、低コストである。
上記第１の回転駆動力伝達手段４は、上記中間回転軸３のアイドラ軸の正回転方向の回転駆動力を伝達する第１の一方向クラッチ４ａと、上記第１の一方向クラッチ４ａから伝達される回転駆動力を上記被駆動回転体６の上記第１のプーリ６ａ１のタイミングプーリに伝達する第１の回転駆動力伝達ユニット４ｂとからなり、簡単な構成で正回転方向の回転駆動力を伝達することが出来る。
そして、上記第１の回転駆動力伝達ユニット４ｂは、上記第１の一方向クラッチ４ａから回転駆動力が伝達されるプーリ４ｂ１のタイミングプーリと、上記プーリ４ｂ１のタイミングプーリと上記被駆動回転体６の上記第１のプーリ６ａ１のタイミングプーリに張架されて回転駆動力を伝達するベルト４ｂ２のタイミングベルトとからなり、簡単な構成で正回転方向の回転駆動力を離間した上記定着装置１０を駆動する上記被駆動回転体６の上記第１のプーリ６ａ１に伝達することが出来る。
従って、簡単な構成で正回転方向の回転駆動力を離間した上記定着装置１０を駆動する上記被駆動回転体６の上記第１のプーリ６ａ１に伝達する上記回転駆動装置０を提供することが出来るようになった。
【００１４】
上記第２の回転駆動力伝達手段５は、上記中間回転軸３のアイドラ軸の逆回転方向の回転駆動力を伝達する第２の一方向クラッチ５ａと、上記第２の一方向クラッチ５ａから伝達される回転駆動力を上記定着装置１０を駆動する上記被駆動回転体６の上記第２のプーリ６ａ２のタイミングプーリに伝達する第２の回転駆動力伝達ユニット５ｂとからなり、簡単な構成で逆回転方向の回転駆動力を伝達することが出来る。
そして、上記第２の回転駆動力伝達ユニット５ｂは、上記回転軸３のアイドラ軸の逆回転方向の回転駆動力の回転方向を変更する歯車列５ｂ１の歯車５ｂ１１とアイドラ歯車５ｂ１２とからなり、簡単な構成で回転方向を変更して回転駆動力を伝達することが出来る。
更に、上記第２の回転駆動力伝達ユニット５ｂは、上記第２の一方向クラッチ５ａから回転駆動力が伝達される上記歯車列５ｂ１のプーリ５ｂ１３と、上記プーリ５ｂ１３と上記定着装置１０を駆動する上記被駆動回転体６の上記第２のプーリ６ａ２に張架されて回転駆動力を伝達するベルト５ｂ２のタイミングベルトとからなり、簡単な構成で逆回転方向の回転駆動力を離間した上記定着装置１０を駆動する上記被駆動回転体６の上記第２のプーリ６ａ２に伝達することが出来る。
従って、簡単な構成で逆回転方向の回転駆動力を、回転方向を変更して、離間した上記定着装置１０を駆動する上記被駆動回転体６の上記第２のプーリ６ａ２に伝達する上記回転駆動装置０を提供することが出来るようになった。
【００１５】
図示するように、上記回転駆動源１である回転駆動モータからの上記出力歯車１ａに対して、上記回転駆動力伝達手段２の減速用アイドラ歯車が噛合っている。
上記回転駆動力伝達手段２の減速用アイドラ歯車は、両端を本体ブラケット０ａに固定された軸受０ａ１と軸受０ａ２で回転可能に支持された上記中間回転軸３のアイドラ軸に対して、図示しない平行ピン、又は、Ｄカットによって固定されている。
又、上記中間回転軸３のアイドラ軸に対し、上記第１の一方向クラッチ４ａと一体にしてなる上記第１の回転駆動力伝達ユニット４ｂの上記プーリ４ｂ１、及び、上記第２の一方向クラッチ５ａと一体にしてなる上記第２の回転駆動力伝達ユニット５ｂの上記歯車列５ｂ１の上記歯車５ｂ１１、スペーサ７が挿入されており、上記歯車５ｂ１１側端部には止め輪８でスラスト方向を固定している。
上記第１の一方向クラッチ４ａと一体にしてなる上記第１の回転駆動力伝達ユニット４ｂの上記プーリ４ｂ１、及び、上記第２の一方向クラッチ５ａと一体にしてなる上記第２の回転駆動力伝達ユニット５ｂの上記歯車列５ｂ１の上記歯車５ｂ１１は、各々ロック方向が相反しており、上記第１の一方向クラッチ４ａと一体にしてなる上記第１の回転駆動力伝達ユニット４ｂの上記プーリ４ｂ１側は図示の矢印（Ａ）方向側より見て時計回転方向、上記第２の一方向クラッチ５ａと一体にしてなる上記第２の回転駆動力伝達ユニット５ｂの上記歯車列５ｂ１の上記歯車５ｂ１１側は反時計回転方向に各々が回転した場合に、上記回転軸３のアイドラ軸に対しロックする。
上記第２の一方向クラッチ５ａと一体にしてなる上記第２の回転駆動力伝達ユニット５ｂの上記歯車列５ｂ１の上記歯車５ｂ１１側は、別途、上記本体ブラケット０ａに固定してなるスタッド０ａ３に保持された上記歯車列５ｂ１の上記アイドラ歯車５ｂ１２と噛合っている。
【００１６】
上記歯車列５ｂ１の上記アイドラ歯車５ｂ１２と一体にしてなる上記プーリ５ｂ１３と上記定着装置１０を駆動する上記被駆動回転体６の上記第２のプーリ６ａ２は上記ベルト５ｂ２のタイミングベルトにて連結されている。
又、上記回転駆動装置０は、上記定着装置１０を駆動する上記被駆動回転体６の上記プーリ６ａに対する上記第１の回転駆動力伝達手段４の上記プーリ４ｂ１による減速比に対し、上記第２の回転駆動力伝達手段５の上記プーリ５ｂ１５と上記定着装置１０を駆動する上記被駆動回転体６の上記プーリ６ａとの連結における減速比は１／２となっている。
まず、上記定着１０の定着ローラ１１と加圧ローラ１２を定常の回転速度にて回転させる場合において、上記回転駆動源１の回転駆動モータの上記出力歯車１ａは、図示の矢印（Ａ）方向より見て、図示の矢印（Ｂ）方向の時計回転方向に回転する。
その場合に、上記回転駆動力伝達手段２の減速用アイドラ歯車と固定された上記回転軸３のアイドラ軸は、反時計回転方向に回転する為に、上記第１の回転駆動力伝達手段４の上記第１の一方向クラッチ４ａと一体にしてなる上記第１の回転駆動力伝達ユニット４ｂの上記プーリ４ｂ１とロックして上記被駆動回転体６の上記プーリ６ａへ回転駆動力を伝達し、上記被駆動回転体６の上記プーリ６ａに連結された上記定着装置１０の定着駆動軸１３と定着駆動歯車列１４を回転させる事で上記定着ローラ１１と上記加圧ローラ１２を回転させる。
上記第２の一方向クラッチ５ａと一体にしてなる上記第２の回転駆動力伝達ユニット５ｂの上記歯車列５ｂ１の上記歯車５ｂ１１側は、上記中間回転軸３のアイドラ軸に対して非ロック方向となる為に回転駆動力は伝達されない。
又、上記ベルト５ｂ２のタイミングベルトを介して伝達される回転駆動力に対しても、上記第２の回転駆動力伝達ユニット５ｂの上記歯車列５ｂ１の上記歯車５ｂ１１は反時計回転の方向に回転する為、回転駆動力の伝達は行われない。
【００１７】
次に、上記定着装置１０の上記定着ローラ１１と上記加圧ローラ１２の回転速度を定常の回転速度の１／２速にて回転駆動する場合は、上記回転駆動源１である回転駆動モータの回転を定常の回転速度と同じ回転速度にて逆回転させる事で、上記と反対に、上記第２の一方向クラッチ５ａと一体にしてなる上記第２の回転駆動力伝達ユニット５ｂの上記歯車列５ｂ１の上記歯車５ｂ１１側に、上記回転駆動源１である回転駆動モータの回転駆動力が伝達されて、上記定着装置１０の上記定着ローラ１１と上記加圧ローラ１２を定常の回転速度の１／２速にて回転する。
その場合には、上記第１の回転駆動力伝達手段４の上記第１の一方向クラッチ４ａと一体にしてなる上記第１の回転駆動力伝達ユニット４ｂの上記プーリ４ｂ１側は空転する。
上記回転駆動源１である回転駆動モータは、上記回転駆動力伝達手段２の減速用アイドラ歯車と固定された上記回転軸３のアイドラ軸の回転駆動を一旦停止した後に、回転方向を変更するようになっているから、回転方向の変更による慣性力による上記回転駆動力伝達手段２の減速用アイドラ歯車、上記回転軸３のアイドラ軸や上記回転駆動源１である回転駆動モータ等の破損等を防止して耐久性が優れた上記回転駆動装置０を提供することが出来るようになった。
又、上記定着装置１０の上記定着ローラ１１と上記加圧ローラ１２の回転速度を定常の回転速度の１／３速にて回転駆動する際は、定常の回転速度の１／２速の時と同じ方向に、上記回転駆動源１である回転駆動モータの回転数を定常の回転速度の２／３にて回転駆動すれば、２／３速の１／２になる為に、定常の回転速度の１／３速にて回転駆動が可能となる。
更に、上記定着装置１０の上記定着ローラ１１と上記加圧ローラ１２の回転速度を定常の回転速度の１／４速にて回転駆動する必要がある際は、上記回転駆動源１である回転駆動モータの回転数を定常の回転速度の１／２にて上記と同じ回転方向に回転駆動すれば、１／２速の１／２になる為に、定常の回転速度の１／４速にて回転駆動が可能となる。
【００１８】
上記組み合わせ以外にも、上記回転駆動源１である回転駆動モータを逆転させずに定常の回転速度と同方向に、上記回転駆動源１である回転駆動モータの回転数を１／２にする事で、上記定着装置１０の上記定着ローラ１１と上記加圧ローラ１２を定常の回転速度の１／２速にて回転可能であるが、各回転速度の使用頻度に応じ、上記回転駆動源１である回転駆動モータの回転数と回転方向は決定すれば良い。
即ち、上記定着装置１０の上記定着ローラ１１と上記加圧ローラ１２の回転速度を定常の回転速度から定常の回転速度の１／４速まで変更させる必要がある使用モードの場合であっても、上記回転駆動源１である回転駆動モータの回転速度は、最悪でも定常の回転速度の１／２迄のより少ない対応で回転速度の変更が可能にすることが出来るようになった。
被転写体に形成された画像の定着を行う上記定着装置１０は、回転可能に保持されて加熱する上記定着ローラ１１と、上記定着ローラ１１に所定圧力をもって当接される回転自在な上記加圧ローラ１２と、上記定着ローラ１１、又は、上記加圧ローラ１２を回転駆動する上記請求項１乃至１１の何れか一項に記載の上記回転駆動装置０とからなり、上記回転駆動源１である回転駆動モータの回転数を減速することなく、又は、少ない減速でも、複数の定常の回転速度と定常の回転速度の１／２の速度、又は、多くの、定常の回転速度と定常の回転速度の１／２の速度、定常の回転速度の１／３の速度、定常の回転速度の１／４の速度等の使用モードの上記被駆動回転体６の回転速度の変更に対応が可能となり回転斑の増大を押さえて、回転駆動の効率も向上して小型で、省資源で、低コストで、耐久性にも優れ光沢斑等の発生を防止して高品質の定着が行われる。
従って、上記回転駆動源１である回転駆動モータの回転数を減速することなく、又は、少ない減速でも、複数の定常の回転速度と定常の回転速度の１／２の速度、又は、多くの、定常の回転速度と定常の回転速度の１／２の速度、定常の回転速度の１／３の速度、定常の回転速度の１／４の速度等の使用モードの上記被駆動回転体６の回転速度の変更に対応が可能となり、回転斑の増大を押さえて、回転駆動の効率も向上して小型で、省資源で、低コストで、光沢斑等の発生を防止した高品質の定着が行われ、耐久性にも優れた上記回転駆動装置０、及び、その上記回転駆動装置０を具備する上記定着装置１０を提供することが出来るようになった。
【００１９】
図３において、上記回転駆動装置０において、上記中間回転軸３のアイドラ軸は、上記回転駆動源１である回転駆動モータの上記出力歯車１ａに噛合う上記回転駆動力伝達手段２の減速用アイドラ歯車のボス部を延長させて、上記回転駆動力伝達手段２の減速用アイドラ歯車のボス部と一体の形状になっている。
その上記回転駆動力伝達手段２の減速用アイドラ歯車のボス部と一体形状の上記回転軸３のアイドラ軸に、上記第１の一方向クラッチ４ａと一体にしてなる上記第１の回転駆動力伝達ユニット４ｂの上記プーリ４ｂ１、及び、上記第２の一方向クラッチ５ａと一体にしてなる上記第２の回転駆動力伝達ユニット５ｂの上記歯車列５ｂ１の上記歯車５ｂ１１が配置されている。
上記回転駆動力伝達手段２の減速用アイドラ歯車と各々の上記プーリ４ｂ１、及び、上記歯車５ｂ１１は、スラスト方向にスラストワッシャー９を配置する事で各々の摺動抵抗を押さえている。
又、上記回転駆動力伝達手段２の減速用アイドラ歯車のボス部と一体形状の上記回転軸３のアイドラ軸には、焼き入れ処理を行う事で、上記第１の一方向クラッチ４ａと上記第２の一方向クラッチ５ａの駆動による摩耗を防止して耐久性が優れたものになっている。
各々の上記プーリ４ｂ１、及び、上記歯車５ｂ１１は、上記回転駆動力伝達手段２の減速用アイドラ歯車のボス部と一体形状の上記回転軸３のアイドラ軸に設けられた上記止め輪８にて上記回転駆動力伝達手段２の減速用アイドラ歯車に固定されている。
従って、各駆動部品を一体にする事で上記本体ブラケット０ａに固定されたスタッド０ａ４に装着可能となっており、ユニット組立て性の向上を図る事が可能となり、更に、低コストの上記回転駆動装置０を提供することが出来るようになった。
【００２０】
図４において、被駆動回転体の回転速度を使用モードにより変更して画像を形成する画像形成装置５０は、被転写体（Ｐ）の転写用紙に画像を形成する画像形成手段５１と、上記画像形成手段５１の回転速度を使用モードにより変更する上記請求項１乃至１１の何れか一項に記載の回転駆動装置０からなり、上記回転駆動源１である回転駆動モータの回転数を減速することなく、又は、少ない減速でも、複数の定常の回転速度と定常の回転速度の１／２の速度、又は、多くの、定常の回転速度と定常の回転速度の１／２の速度、１／３の速度、１／４の速度等の使用モードの上記被駆動回転体６の回転速度の変更に対応が可能となり回転斑の増大を押さえて、回転駆動の効率も向上して小型で、省資源で、低コストで、耐久性にも優れ光沢斑等の発生を防止して画像形成が行われ。
上記画像形成装置５０の電子写真方法でトナー画像を形成する複写機は、上部には、原稿（Ｏ）の画像を読み取る原稿画像読取装置５２が配置されている。
他方、下部には、上記画像形成手段５１を載置して被転写体（Ｐ）の転写用紙を供給する被転写体供給装置５３が配置されている。
上記原稿画像読取装置５２で、読み取る原稿（Ｏ）の原稿画像の画像データでトナー画像を形成する電子写真方法による、画像書き込み手段５１ｃのレーザーダイオードを発光させることにより、帯電器５１ｂで均一に帯電された像担持体５１ａのドラム形状の感光体ドラム上に静電潜像を形成する。
上記画像書き込み手段５１ｃのレーザーダイオードを発光させて形成した静電潜像を現像器５１ｄで顕像化してトナー画像を形成する。
【００２１】
上記現像器５１ｄで顕像化したトナー画像は、転写器５１ｅで、上記被転写体供給装置５３から搬送されて来る被転写体（Ｐ）の転写用紙に転写される。
上記転写器５１ｅで被転写体（Ｐ）の転写用紙に転写されたトナー画像は、上記回転駆動装置０で回転駆動される上記定着装置１０の回転可能に保持されて加熱する上記定着ローラ１１と上記定着ローラ１１に所定圧力をもって当接される回転自在な上記加圧ローラ１２にて加熱と加圧による加熱定着後に、被転写体（Ｐ）の転写用紙は排紙ローラ５１ｆによって排紙トレイ５１ｇに排紙されて収納される。
他方、上記像担持体５１ａのドラム形状の感光体ドラムは、上被転写体（Ｐ）の転写用紙にトナー画像を転写した後に、上記像担持体５１ａのドラム形状の感光体ドラム上に付着した残留トナーを、クリーニング部材５１ｈによって掻き落とされてクリーニングされて、次工程の画像形成に備えるようになっている。
従って、上記回転駆動源１である回転駆動モータの回転数を減速することなく、又は、少ない減速でも、複数の定常の回転速度と定常の回転速度の１／２の速度、又は、多くの、定常の回転速度と定常の回転速度の１／２の速度、定常の回転速度の１／３の速度、定常の回転速度の１／４の速度等の使用モードの上記被駆動回転体６の回転速度の変更に対応が可能となり回転斑の増大を押さえて、回転駆動の効率も向上して小型で、省資源で、低コストで、耐久性にも優れ光沢斑等の発生を防止して高品質の画像形成が行われ上記画像形成装置５０を提供することが出来るようになった。
【図面の簡単な説明】
【００２２】
【図１】本発明の実施の形態例を示す回転駆動装置、及び、その回転駆動装置を具備する定着装置を説明する説明図。
【図２】図１における要部の拡大断面図。
【図３】本発明の他の実施の形態例を示す回転駆動装置の主要部を説明する拡大図。
【図４】本発明の他の実施の形態例を示す回転駆動装置を具備する画像形成装置を説明する説明図。
【図５】従来の回転駆動装置を説明する説明図。
【符号の説明】
【００２３】
０  回転駆動装置、
０ａ  本体ブラケット、
０ａ１  軸受、
０ａ２  軸受、
０ａ３  スタッド、
０ａ４  スタッド
１  回転駆動源、
１ａ  出力歯車
２  回転駆動力伝達手段
３  中間回転軸
４  第１の回転駆動力伝達手段、
４ａ  第１の一方向クラッチ、
４ｂ  第１の回転駆動力伝達ユニット
４ｂ１  プーリ、
４ｂ２  ベルト
５  第２の回転駆動力伝達手段、
５ａ  第２の一方向クラッチ、
５ｂ  第２の回転駆動力伝達ユニット
５ｂ１  歯車列、
５ｂ１１  歯車、
５ｂ１２  アイドラ歯車、
５ｂ１３  プーリ、
５ｂ２  ベルト
６  被駆動回転体、
６ａ  プーリ、  
６ａ１  第１のプーリ、
６ａ２  第２のプーリ
７  スペーサ
８  止め輪
９  スラストワッシャー
１０  定着装置
１１  定着ローラ
１２  加圧ローラ
１３  定着駆動軸
１４  定着駆動歯車列
５０  画像形成装置
５１  画像形成手段、
５１ａ  像担持体、
５１ｂ  帯電器、
５１ｃ  画像書き込み手段、
５１ｄ  現像器、
５１ｅ  転写器、
５１ｆ  排紙ローラ、
５１ｇ  排紙トレイ、
５１ｈ  クリーニング部材
５２  原稿画像読取装置
５３  被転写体供給装置
１００  回転駆動装置
１０１  回転駆動モータ、
１０１ａ  出力歯車
１０２  回転駆動力伝達歯車
１０３  軸
１０４  プーリ
１０５  タイミングベルト
１０６  被駆動回転体のプーリ
１１０  定着装置
１１１  定着ローラ、
１１１ａ  定着歯車
１１２  加圧ローラ
１１３  定着駆動歯車
【図１】
2005054861.tif 000003
【図２】
2005054861.tif 000004
【図３】
2005054861.tif 000005
【図４】
2005054861.tif 000006
【図５】
2005054861.tif 000007